(57)【要約】【目的】燃料電池装置を効率良く活用することが可能なシステムを提供することを目的とする。【構成】本発明の一態様の電力供給システム５００は、既設された少なくとも１つの燃料電池装置１０と、新設された少なくとも１つの燃料電池装置２０と、かかる少なくとも１つの第１の燃料電池装置とかかる少なくとも１つの第２の燃料電池装置とを統合制御する電力供給管理装置１００と、を備え、電力供給管理装置１００は、不足電力が生じた場合に、既設された少なくとも１つの燃料電池装置１０を優先して不足電力を補うように制御することを特徴とする。【選択図】図１
2015191695.tif 000002
【特許請求の範囲】
【請求項１】
既設された少なくとも１つの第１の燃料電池装置と、
新設された少なくとも１つの第２の燃料電池装置と、
前記少なくとも１つの第１の燃料電池装置と前記少なくとも１つの第２の燃料電池装置とを統合制御する制御装置と、
を備え、
前記制御装置は、不足電力が生じた場合に、既設された前記少なくとも１つの第１の燃料電池装置を優先して前記不足電力を補うように制御することを特徴とする電力供給システム。
【請求項２】
前記制御装置は、
最大出力未満であって使用燃料に対する発電出力の効率が収束範囲内の発電出力まで、前記不足電力を補うように、前記少なくとも１つの第１の燃料電池装置の少なくとも１つの発電出力を増加させる出力制御部を有することを特徴とする請求項１記載の電力供給システム。
【請求項３】
前記少なくとも１つの第１の燃料電池装置は、複数の第１の燃料電池装置であり、
前記複数の第１の燃料電池装置のうち、前記収束範囲内の発電出力まで出力されていない燃料電池装置群を選択する選択部をさらに有し、
前記出力制御部は、前記複数の第１の燃料電池装置のうち選択された燃料電池装置群に対して、前記不足電力を補うように、発電出力が小さいものから順に発電出力を前記収束範囲内まで増加させることを特徴とする請求項２記載の電力供給システム。
【請求項４】
前記収束範囲内の発電出力まで選択された燃料電池装置群の発電出力を順に増加させることで前記不足電力が補われるかどうかを判定する判定部をさらに備え、
前記出力制御部は、さらに、前記複数の第１の燃料電池装置に対して、前記不足電力を補うように、前記平均出力実績の小さいものから順に発電出力を最大出力まで増加させることを特徴とする請求項３記載の電力供給システム。
【請求項５】
既設された少なくとも１つの第１の燃料電池装置と、新設された少なくとも１つの第２の燃料電池装置と、を用いて電力を供給する工程と、
不足電力が生じた場合に、既設された前記少なくとも１つの第１の燃料電池装置を優先して前記不足電力を補うように制御する工程と、
を備えたことを特徴とする電力供給方法。
【発明の詳細な説明】
【技術分野】
【０００１】
本発明は、電力供給システム及び電力供給方法に関し、例えば、複数のユーザ（需要家）による集合体に複数の燃料電池で電力を供給する電力供給システム及び電力供給方法に関する。
【背景技術】
【０００２】
固体酸化物燃料電池（ＳＯＦＣ：  Ｓｏｌｉｄ  Ｏｘｉｄｅ  Ｆｕｅｌ  Ｃｅｌｌ）は、固体電解質型燃料電池とも呼ばれ、空気極で生成した酸化物イオン（Ｏ２−）が電解質を透過し、燃料極で水素あるいは一酸化炭素と反応することにより電気エネルギーを発生させている。そのため、水素だけではなく天然ガスなどを燃料として用いることが可能である。そのため、近年、ＳＯＦＣを家庭用電力として用いることが検討されている。かかる燃料電池装置としては、商用電源に連系して使用されるものか、或いは可搬型発電システムとして商用電源とは別個に使用されるものが開発されている。商用電源に連系して使用される燃料電池装置では、商用電力ラインに流れる電力量を検出して、電力量に応じて自己が発電可能な範囲で発電して商用電力ラインに電力を流す。これにより、商用電源の使用電力量を低減させるというものである（特許文献１参照）。
【０００３】
一方、各家庭に燃料電池装置を配置する場合、各燃料電池装置はそれぞれの家庭の電力需要に合わせて運転されることになる。燃料電池装置は、定格運転時に最大の性能（最大効率）を発揮する。しかしながら、かかる従来の方法で燃料電池装置を運転すると機器の最大性能で運転する時間はわずかとなり、運転効率が悪化してしまうといった問題があった。よって、例えば、既設されている燃料電池装置は、限られた需要に対してのみの電力供給を行っており、機器が本来持つ供給性能を十分に発揮するものではなかった。
【先行技術文献】
【特許文献】
【０００４】
【特許文献１】特開２００７−１７９８８６号公報
【発明の概要】
【発明が解決しようとする課題】
【０００５】
そこで、本発明は、上述した問題点を克服し、燃料電池装置を効率良く活用することが可能なシステムを提供することを目的とする。
【課題を解決するための手段】
【０００６】
本発明の一態様の電力供給システムは、
既設された少なくとも１つの第１の燃料電池装置と、
新設された少なくとも１つの第２の燃料電池装置と、
かかる少なくとも１つの第１の燃料電池装置とかかる少なくとも１つの第２の燃料電池装置とを統合制御する制御装置と、
を備え、
制御装置は、不足電力が生じた場合に、既設された少なくとも１つの第１の燃料電池装置を優先して不足電力を補うように制御することを特徴とする。
【０００７】
また、制御装置は、
最大出力未満であって使用燃料に対する発電出力の効率が収束範囲内の発電出力まで、不足電力を補うように、少なくとも１つの第１の燃料電池装置の少なくとも１つの発電出力を増加させる出力制御部を有すると好適である。
【０００８】
また、少なくとも１つの第１の燃料電池装置は、複数の第１の燃料電池装置であり、
複数の第１の燃料電池装置のうち、収束範囲内の発電出力まで出力されていない燃料電池装置群を選択する選択部をさらに有し、
出力制御部は、複数の第１の燃料電池装置のうち選択された燃料電池装置群に対して、不足電力を補うように、発電出力が小さいものから順に発電出力を収束範囲内まで増加させると好適である。
【０００９】
また、収束範囲内の発電出力まで選択された燃料電池装置群の発電出力を順に増加させることで不足電力が補われるかどうかを判定する判定部をさらに備え、
出力制御部は、さらに、複数の第１の燃料電池装置に対して、不足電力を補うように、平均出力実績の小さいものから順に発電出力を最大出力まで増加させると好適である。
【００１０】
また、本発明の一態様の電力供給方法は、
既設された少なくとも１つの第１の燃料電池装置と、新設された少なくとも１つの第２の燃料電池装置と、を用いて電力を供給する工程と、
不足電力が生じた場合に、既設された少なくとも１つの第１の燃料電池装置を優先して不足電力を補うように制御する工程と、
を備えたことを特徴とする。
【発明の効果】
【００１１】
本発明の一態様によれば、燃料電池装置を効率良く活用できる。特に、既設された燃料電池装置を効率良く活用できる。
【図面の簡単な説明】
【００１２】
【図１】実施の形態１における電力供給システムの構成を示す構成図の一例である。
【図２】実施の形態１における電力供給方法の要部工程を示すフローチャート図である。
【図３】実施の形態１における予測電力需要の一例を示すタイムチャート図である。
【図４】実施の形態１における全体制御スケジュールの一例を示すタイムチャート図である。
【図５】実施の形態１における発電量と燃料電池装置との関係の一例を示すグラフ図である。
【図６】実施の形態１における燃料電池装置の発電効率と発電量の関係の一例を示す図である。
【発明を実施するための形態】
【００１３】
実施の形態１．
図１は、実施の形態１における電力供給システムの構成を示す構成図の一例である。図１において、電力供給システム５００は、電力供給管理装置１００（制御装置の一例）、需要監視装置１１０、燃料電池装置１０ａ，１０ｂ，１０ｃ，・・・、及び燃料電池装置２０ａ，２０ｂ，２０ｃを備えている。燃料電池装置１０ａ，１０ｂ，１０ｃ，・・・（第１の燃料電池装置）は、それぞれ対応する需要家であるユーザ２００ａ、２００ｂ、２００ｃ、・・・宅に既設された既設燃料電池装置を示している。一方、燃料電池装置２０ａ，２０ｂ，２０ｃ（第２の燃料電池装置）は、発電所３００内に新設された新設燃料電池装置を示している。実施の形態１における電力供給システムでは、電力供給管理装置１００が、燃料電池装置１０ａ，１０ｂ，１０ｃ，・・・と新設燃料電池装置２０ａ，２０ｂ，２０ｃを統合管理して、１つの集合体となる既設燃料電池装置を有するユーザ２００ａ、２００ｂ、２００ｃ、・・・と、燃料電池装置を有していないユーザ２０２とに電力を供給する。なお、集合体となるユーザ２００ａ、２００ｂ、２００ｃ、・・・とユーザ２０２とへの電力供給網１５には、既設燃料電池装置１０ａ，１０ｂ，１０ｃ，・・・と新設燃料電池装置２０ａ，２０ｂ，２０ｃとが接続され、電力供給システム５００で供給可能な電力が供給される。かかる電力供給網１５には、さらに、系統電源６００が接続され、かかる電力供給システム５００で供給しきれない分の電力が必要となった場合にかかる不足分を供給可能となっている。
【００１４】
なお、実施の形態１における電力供給システム５００では、付帯設備して、既設の各燃料電池装置１０ａ，１０ｂ，１０ｃ，・・・にそれぞれ対応する給湯装置１１ａ，１１ｂ，１１ｃ・・・を併設している。同様に、新設の各燃料電池装置２０ａ，２０ｂ，２０ｃにそれぞれ対応する給湯装置２１ａ，２１ｂ，２１ｃを併設している。給湯装置１１ａ，１１ｂ，１１ｃ・・・は、対応する燃料電池装置１０ａ，１０ｂ，１０ｃ，・・・の発電に伴う熱を利用して湯を生成している（沸かしている）。同様に、給湯装置２１ａ，２１ｂ，２１ｃは、対応する燃料電池装置２０ａ，２０ｂ，２０ｃの発電に伴う熱を利用して湯を生成している（沸かしている）。
【００１５】
各ユーザ２００ａ、２００ｂ、２００ｃ、・・・宅、及びユーザ２０２宅で消費（使用）された電力量は、それぞれ対応する電力計１２ａ，１２ｂ，１２ｃ，・・・、及び電力計１３で計測され、計測結果は需要監視装置１１０に送信される。
【００１６】
図１では、燃料電池装置を有していないユーザ２０２宅を１つしか記載していないが、燃料電池装置を有していない複数のユーザ宅が集合体に加わっていても構わない。個別住宅の他、さらに、マンションやテナントビルといったビルディング、及び工場等が電力供給システムの集合体に加わっていても構わない。また、図１では、複数の既設燃料電池装置１０ａ，１０ｂ，１０ｃ，・・・が示されているが、これに限るものではない。既設燃料電池装置１０は１つであってもよい。このように、少なくとも１つの既設燃料電池装置１０が配置されればよい。同様に、図１では、複数の新設燃料電池装置２０ａ，２０ｂ，２０ｃが示されているが、これに限るものではない。新設の燃料電池装置２０は１つであってもよい。このように、少なくとも１つの新設の燃料電池装置２０が配置されればよい。そして、電力供給管理装置１００は、少なくとも１つの既設燃料電池装置１０と少なくとも１つの新設燃料電池装置２０とを統合制御する。
【００１７】
電力供給管理装置１００内には、磁気ディスク装置等の記憶装置３０，３２，３４，３７、メモリ３６、判定部４０，４１、抽出部４２，４４、判定部４６，４８、需要予測部５０、全体制御スケジュール作成部５２、選択部５４、個別制御スケジュール作成部５６、コマンド作成部５８（出力制御部）、及び通信制御部６０が配置される。判定部４０，４１、抽出部４２，４４、判定部４６，４８、需要予測部５０、全体制御スケジュール作成部５２、選択部５４、個別制御スケジュール作成部５６、コマンド作成部５８、及び通信制御部６０といった各機能は、プログラムといったソフトウェアで構成されても良い。或いは、電子回路等のハードウェアで構成されてもよい。或いは、これらの組み合わせであってもよい。判定部４０，４１、抽出部４２，４４、判定部４６，４８、需要予測部５０、全体制御スケジュール作成部５２、選択部５４、個別制御スケジュール作成部５６、コマンド作成部５８、及び通信制御部６０のうちソフトウェアで構成される機能に必要な入力データ或いは演算された結果はその都度メモリ３６に記憶される。
【００１８】
また、電力供給管理装置１００、需要監視装置１１０、燃料電池装置１０ａ，１０ｂ，１０ｃ，・・・、及び燃料電池装置２０ａ，２０ｂ，２０ｃは、インターネット等のネットワークを介して通信可能に接続されている。
【００１９】
図１では、実施の形態１を説明する上で必要な構成について示しているが、かかる構成に限るものではない。実施の形態１における電力供給システム５００及び電力供給管理装置１００にその他の構成が含まれていても構わない。
【００２０】
図２は、実施の形態１における電力供給方法の要部工程を示すフローチャート図である。図２において、実施の形態１における電力供給方法は、需要予測工程（Ｓ１０２）と、全体制御スケジュール作成工程（Ｓ１０４）と、判定工程（Ｓ１０６）と、判定工程（Ｓ１０８）と、故障機器抽出工程（Ｓ１１０）と、メンテ中機器抽出工程（Ｓ１１２）と、判定工程（Ｓ１１４）と、選択工程（Ｓ１１６）と、個別制御スケジュール作成工程（Ｓ１１８）と、判定工程（Ｓ１２０）と、個別制御スケジュール作成工程（Ｓ１３０）と、判定工程（Ｓ１３２）と、故障機器抽出工程（Ｓ１４０）と、メンテ中機器抽出工程（Ｓ１４２）と、判定工程（Ｓ１４４）と、選択工程（Ｓ１４６）と、個別制御スケジュール作成工程（Ｓ１４８）と、判定工程（Ｓ１５０）と、個別制御スケジュール作成工程（Ｓ１６０）と、判定工程（Ｓ１６２）と、コマンド作成工程（Ｓ１７０）と、いう一連の工程を実施する。
【００２１】
まず、需要監視装置１１０は、電力計１２ａ，１２ｂ，１２ｃ・・・及び電力計２２ａ，２２ｂ，２２ｃから各ユーザの使用電力（消費電力）をリアルタイムで常時測定し、監視する。常時監視でなくとも所定の間隔でサンプリング監視してもよい。例えば、１時間毎に測定してもよい。そして、需要監視装置１１０は、計測された各ユーザの使用電力をまとめた集合体全体での消費量を、例えば、１日の各時刻における電力需要を示す電力需要実績データ（電力需要情報）を作成する。作成された電力需要実績データは、インターネットを介して電力供給管理装置１００に送信される。また、各燃料電池装置１０ａ，１０ｂ，１０ｃ，・・・、及び燃料電池装置２０ａ，２０ｂ，２０ｃの発電実績データは、インターネットを介して電力供給管理装置１００に送信される。電力供給管理装置１００内では、受信された各発電実績データは、通信制御部６０を介して記憶装置３７に蓄積される。燃料電池装置１０ａ，１０ｂ，１０ｃ，・・・、及び燃料電池装置２０ａ，２０ｂ，２０ｃは、電力供給管理装置１００からのコマンドによって発電量が制御されるが、実際の負荷（消費電力）が小さい場合には、それに応じて発電量が下がるように自己の制御回路によって制御される。よって、各発電実績データは、電力供給管理装置１００によって制御された発電量とは一致しない場合がある。
【００２２】
需要予測工程（Ｓ１０２）として、需要予測部５０は、通信制御部６０を介して電力需要実績データを受信する。そして、かかる電力需要実績データを用いて例えば翌日以降の電力需要を予測する。例えば、過去の電力需要実績データを用いて翌日の電力需要を予測する。予測に関して、電力需要実績データ以外の要素を考慮しても好適である。例えば、天気予報での天候及び気温等を考慮すると好適である。
【００２３】
図３は、実施の形態１における予測電力需要の一例を示すタイムチャート図である。図３の例では、縦軸に予測電力需要（ｋｗ）、横軸に１日の時刻を示している。図３の例では、朝６時頃から一時的に電力消費が増える。そして、一旦低下した後に、昼１０時頃に一時的に電力消費が増える。そして、一旦低下した後に、昼１２時頃に一時的に電力消費が増える。そして、一旦低下した後に、午後１５時頃に一時的に電力消費が増える。その後、徐々に増え、１８時頃にピークを迎える。そして、１９時頃から後は、徐々に低下していく。予測電力需要データは、記憶装置３０に格納される。
【００２４】
全体制御スケジュール作成工程（Ｓ１０４）として、全体制御スケジュール作成部５２は、記憶装置３０から予測電力需要データを読み出し、かかる予測電力需要データに基づいて、全体制御スケジュールを作成する。
【００２５】
図４は、実施の形態１における全体制御スケジュールの一例を示すタイムチャート図である。図４の例では、縦軸に発電量（ｋｗ）、横軸に１日の時刻を示している。全体制御スケジュール作成部５２は、図４（ａ）に示すように、既設燃料電池装置１０ａ，１０ｂ，１０ｃ，・・・の最大発電量と新設燃料電池装置２０ａ，２０ｂ，２０ｃの最大発電量の和を超えない範囲で予測電力需要に応じた発電スケジュールを作成する。図４（ａ）の例では、電力供給システム５００全体での全体制御スケジュールを示している。図４（ａ）の例では、２０時頃に電力供給システム５００で発電可能な範囲を超える時間帯が生じていることを示している。かかる時間帯の電力供給システム５００で発電可能な範囲を超えた分の不足電力は系統電源６００から電力が供給される。次に、全体制御スケジュール作成部５２は、かかる全体制御スケジュールを用いて、既設燃料電池装置用全体制御スケジュールと新設燃料電池装置用全体制御スケジュールを作成する。実施の形態１では、既設燃料電池装置１０ａ，１０ｂ，１０ｃ，・・・を優先して発電に使用する。これにより、電力供給システム５００を構築する際に既に燃料電池装置１０ａ，１０ｂ，１０ｃ，・・・を設置していたユーザにメリットを生じさせることができる。例えば、既設燃料電池装置１０ａ，１０ｂ，１０ｃ，・・・で発電した電力に応じて他のユーザが支払った電気代の一部を還元する。或いは、系統電源６００から購入した電力の電気代については、既設燃料電池装置の所有者に負わせないなどが挙げられる。これらのメリットにより既設燃料電池装置の所有者は燃料電池装置１０ａ，１０ｂ，１０ｃ，・・・の設置にかかった費用の一部を回収することができる。図４（ｂ）の例では、既設燃料電池装置用の全体制御スケジュールの一例を示している。図４（ｂ）の例では、燃料電池装置１０ａ，１０ｂ，１０ｃ，・・・全体での最大発電量を超えない範囲で図４（ａ）に示した全体制御スケジュールに応じた発電スケジュールを作成する。そして、燃料電池装置１０ａ，１０ｂ，１０ｃ，・・・では賄いきれない不足電力に対して、図４（ｃ）に示すように、新設燃料電池装置２０ａ，２０ｂ，２０ｃの最大発電量を超えない範囲で発電スケジュールを作成する。電力供給システム５００全体での全体制御スケジュールと、既設燃料電池装置用の全体制御スケジュールと、新設燃料電池装置用の全体制御スケジュールとは、記憶装置３２に格納される。
【００２６】
判定工程（Ｓ１０６）として、判定部４０は、記憶装置３７から各発電実績データを読み出し、現在稼働中の既設燃料電池装置１０ａ，１０ｂ，１０ｃ，・・・の実績発電量と新設燃料電池装置２０ａ，２０ｂ，２０ｃの実績発電量の合計では、全体制御スケジュールに沿って発電する上で不足電力が生じるかどうかを判定する。かかる判定は、例えば、時刻毎に判定される。不足電力が生じる場合には判定工程（Ｓ１０８）に進む。不足電力が生じない場合にはコマンド作成工程（Ｓ１７０）に進む。
【００２７】
判定工程（Ｓ１０８）として、判定部４１は、電力供給管理装置１００が管理する燃料電池装置群の中に既設燃料電池装置１０ａ，１０ｂ，１０ｃ，・・・が存在するかどうかを判定する。既設燃料電池装置が存在する場合には故障機器抽出工程（Ｓ１１０）に進む。既設燃料電池装置が存在しない場合には故障機器抽出工程（Ｓ１４０）に進む。
【００２８】
故障機器抽出工程（Ｓ１１０）として、抽出部４２は、複数の既設燃料電池装置１０ａ，１０ｂ，１０ｃ，・・・の中から故障している既設燃料電池装置を抽出する。そして、抽出された故障している既設燃料電池装置があれば、かかる故障している既設燃料電池装置を除外する。
【００２９】
メンテ中機器抽出工程（Ｓ１１２）として、抽出部４４は、複数の既設燃料電池装置１０ａ，１０ｂ，１０ｃ，・・・の中からメンテナンス中で現在稼働していない既設燃料電池装置を抽出する。そして、抽出されたメンテナンス中の既設燃料電池装置があれば、かかるメンテナンス中の既設燃料電池装置を除外する。
【００３０】
判定工程（Ｓ１１４）として、判定部４６は、故障しておらず、かつメンテナンス中でもない残った複数の既設燃料電池装置１０ａ，１０ｂ，１０ｃ，・・・の中から対応する時間帯の直近の発電実績データが示す発電出力が発電効率の収束下限に対応する発電出力よりも低い発電出力となっている既設燃料電池装置が有るかどうかを判定する。収束下限に対応する発電出力よりも低い発電出力の既設燃料電池装置が有る場合には選択工程（Ｓ１１６）に進む。収束下限に対応する発電出力よりも低い発電出力の既設燃料電池装置が無い場合には個別制御スケジュール作成工程（Ｓ１３０）に進む。
【００３１】
図５は、実施の形態１における発電量と燃料電池装置との関係の一例を示すグラフ図である。図５の例では、燃料電池装置Ａでは、例えば１００Ｗの発電を行っている場合を示している。燃料電池装置Ｂでは、例えば２００Ｗの発電を行っている場合を示している。燃料電池装置Ｃでは、例えば３００Ｗの発電を行っている場合を示している。燃料電池装置Ｄでは、例えば４００Ｗの発電を行っている場合を示している。燃料電池装置Ｅでは、例えば５００Ｗの発電を行っている場合を示している。燃料電池装置Ｆでは、例えば６００Ｗの発電を行っている場合を示している。燃料電池装置Ｇでは、最大出力の例えば７００Ｗの発電を行っている場合を示している。また、図５では、合わせて、所定の期間の平均発電出力値を示している。例えば、先月の平均発電出力値を示している。所定の期間は、１月よりも短くて設定しても、長く設定しても構わない。例えば、周毎の平均発電出力値を示してもよい。
【００３２】
図６は、実施の形態１における燃料電池装置の発電効率と発電量の関係の一例を示す図である。燃料電池装置は、定格運転による最大出力で発電する場合が最も発電効率が良い。発電効率は、使用燃料に対する発電出力の効率（比率）で定義できる。また、燃料電池装置は、図６に示すように、所定の発電量以降では発電効率が収束してくる。よって、最大出力とはいかなくても、かかる収束範囲内の発電出力で運転することが望ましい。言い換えれば、かかる収束範囲の下限（収束下限）の発電出力以上で運転することが望ましい。例えば、最大出力が７００Ｗで収束下限の発電出力が４００Ｗであった場合、４００Ｗ以上の発電出力以上で運転することが望ましい。
【００３３】
そこで、実施の形態１では、直近の発電実績データが示す発電出力が発電効率の収束下限に対応する発電出力よりも低い発電出力となっている既設燃料電池装置を優先して発電量を増加させる。
【００３４】
選択工程（Ｓ１１６）として、選択部５４は、複数の既設燃料電池装置１０ａ，１０ｂ，１０ｃ，・・・のうち、収束範囲内の発電出力まで出力されていない燃料電池装置群を選択する。なお、抽出された故障中やメンテナンス中の燃料電池装置が選択されないことは言うまでもない。図５の例では、燃料電池装置Ａ〜Ｃが燃料電池装置群として選択される。
【００３５】
個別制御スケジュール作成工程（１）（Ｓ１１８）として、個別制御スケジュール作成部５６は、選択された燃料電池装置群に対して、不足電力を補うように、直近の発電実績データが示す発電出力が小さいものから順に発電出力を収束範囲内まで増加させるように個別制御スケジュール（第１の個別制御スケジュール）を作成する。図５の例では、燃料電池装置Ａ、燃料電池装置Ｂ、燃料電池装置Ｃの順で、不足電力が補われるまでの範囲で、発電出力を収束下限の出力（４００Ｗ）まで発電出力を増加させるスケジュールを作成する。例えば、燃料電池装置Ａを収束下限の出力（４００Ｗ）まで発電出力を増加させることで不足電力が補われた場合には、残りの燃料電池装置Ｂ及び燃料電池装置Ｃの発電出力を増加させることはしない。作成された各個別制御スケジュールは、記憶装置３４に格納される。
【００３６】
判定工程（Ｓ１２０）として、判定部４８は、収束範囲内の発電出力まで選択された燃料電池装置群の発電出力を順に増加させることで不足電力が補われるかどうかを判定する。具体的には、判定部４８は、記憶装置３４から作成された各個別制御スケジュールを読み出し、収束下限の出力（４００Ｗ）まで選択された燃料電池装置群の発電出力を順に増加させることで不足電力が補われるかどうかを判定する。不足電力が補われる場合にはコマンド作成工程（Ｓ１７０）に進む。不足電力を補うにはまだ不足する場合には個別制御スケジュール作成工程（Ｓ１３０）に進む。
【００３７】
個別制御スケジュール作成工程（２）（Ｓ１３０）として、個別制御スケジュール作成部５６は、複数の既設燃料電池装置１０ａ，１０ｂ，１０ｃ，・・・に対して、不足電力を補うように、平均出力実績の小さいものから順に発電出力を最大出力まで増加させるように個別制御スケジュール（第２の個別制御スケジュール）を作成する。図５の例では、燃料電池装置Ｄ、燃料電池装置Ａ、燃料電池装置Ｃ、燃料電池装置Ｂ、燃料電池装置Ｆ、燃料電池装置Ｅの順で不足電力が補われるまでの範囲で、発電出力を最大出力（７００Ｗ）まで増加させるスケジュールを作成する。なお、図５の例において、燃料電池装置Ｇは、すでに最大出力になっているので、それ以上増加させることはできない。個別制御スケジュール作成工程（Ｓ１３０）の段階では、複数の既設燃料電池装置１０ａ，１０ｂ，１０ｃ，・・・は故障やメンテナンス中のものを除く残りのすべてが収束下限の出力（４００Ｗ）以上に発電出力がなるように予定されている。よって、ここでは、それでも不足電力を補えない場合に、さらに最大出力まで順に発電出力を増加させる。作成された個別制御スケジュール（第２の個別制御スケジュール）は、記憶装置３４に格納される。
【００３８】
判定工程（Ｓ１３２）として、判定部４８は、最大発電出力まで複数の既設燃料電池装置１０ａ，１０ｂ，１０ｃ，・・・の発電出力を順に増加させることで不足電力が補われるかどうかを判定する。具体的には、判定部４８は、記憶装置３４から作成された各個別制御スケジュール（第２の個別制御スケジュール）を読み出し、既設燃料電池装置１０ａ，１０ｂ，１０ｃ，・・・の発電出力を順に増加させることで不足電力が補われるかどうかを判定する。不足電力が補われる場合にはコマンド作成工程（Ｓ１７０）に進む。不足電力を補うにはまだ不足する場合には故障機器抽出工程（Ｓ１４０）に進む。
【００３９】
以上のように、電力供給管理装置１００は、不足電力が生じた場合に、既設燃料電池装置１０ａ，１０ｂ，１０ｃ，・・・を優先して不足電力を補うように制御する。運転可能な既設燃料電池装置１０ａ，１０ｂ，１０ｃ，・・・をすべて最大出力まで発電出力を増加させてもなお不足電力に足りていない場合に、新設燃料電池装置２０ａ，２０ｂ，２０ｃの発電出力を増加させるステップに入る。
【００４０】
故障機器抽出工程（Ｓ１４０）として、抽出部４２は、複数の新設燃料電池装置２０ａ，２０ｂ，２０ｃの中から故障している新設燃料電池装置を抽出する。そして、抽出された故障している新設燃料電池装置があれば、かかる故障している新設燃料電池装置を除外する。
【００４１】
メンテ中機器抽出工程（Ｓ１４２）として、抽出部４４は、複数の新設燃料電池装置２０ａ，２０ｂ，２０ｃの中からメンテナンス中で現在稼働していない新設燃料電池装置を抽出する。そして、抽出されたメンテナンス中の新設燃料電池装置があれば、かかるメンテナンス中の新設燃料電池装置を除外する。
【００４２】
判定工程（Ｓ１４４）として、判定部４６は、故障しておらず、かつメンテナンス中でもない残った複数の新設燃料電池装置２０ａ，２０ｂ，２０ｃの中から対応する時間帯の直近の発電実績データが示す発電出力が発電効率の収束下限に対応する発電出力よりも低い発電出力となっている新設燃料電池装置が有るかどうかを判定する。収束下限に対応する発電出力よりも低い発電出力の新設燃料電池装置が有る場合には選択工程（Ｓ１４６）に進む。収束下限に対応する発電出力よりも低い発電出力の新設燃料電池装置が無い場合には個別制御スケジュール作成工程（Ｓ１５０）に進む。
【００４３】
燃料電池装置は、既設、新設に関係なく、定格運転による最大出力で発電する場合が最も発電効率が良い。よって、新設燃料電池装置２０ａ，２０ｂ，２０ｃにおいても、既設燃料電池装置と同様の処理を行う。
【００４４】
選択工程（Ｓ１４６）として、選択部５４は、複数の新設燃料電池装置２０ａ，２０ｂ，２０ｃのうち、収束範囲内の発電出力まで出力されていない燃料電池装置群を選択する。なお、抽出された故障中やメンテナンス中の燃料電池装置が選択されないことは言うまでもない。図５の例は、新設燃料電池装置の場合にも同様に当てはまり、かかる場合、燃料電池装置Ａ〜Ｃが燃料電池装置群として選択される。
【００４５】
個別制御スケジュール作成工程（３）（Ｓ１４８）として、個別制御スケジュール作成部５６は、選択された燃料電池装置群に対して、選択された燃料電池装置群に対して、不足電力を補うように、直近の発電実績データが示す発電出力が小さいものから順に発電出力を収束範囲内まで増加させるように個別制御スケジュール（第３の個別制御スケジュール）を作成する。図５の例では、燃料電池装置Ａ、燃料電池装置Ｂ、燃料電池装置Ｃの順で、不足電力が補われるまでの範囲で、発電出力を収束下限の出力（４００Ｗ）まで発電出力を増加させるスケジュールを作成する。作成された各個別制御スケジュールは、記憶装置３４に格納される。
【００４６】
判定工程（Ｓ１５０）として、判定部４８は、収束範囲内の発電出力まで新設燃料電池装置２０ａ，２０ｂ，２０ｃの中から選択された燃料電池装置群の発電出力を順に増加させることで不足電力が補われるかどうかを判定する。具体的には、判定部４８は、記憶装置３４から作成された各個別制御スケジュールを読み出し、収束下限の出力（４００Ｗ）まで選択された燃料電池装置群の発電出力を順に増加させることで不足電力が補われるかどうかを判定する。不足電力が補われる場合にはコマンド作成工程（Ｓ１７０）に進む。不足電力を補うにはまだ不足する場合には個別制御スケジュール作成工程（Ｓ１６０）に進む。
【００４７】
個別制御スケジュール作成工程（４）（Ｓ１６０）として、個別制御スケジュール作成部５６は、複数の新設燃料電池装置２０ａ，２０ｂ，２０ｃに対して、不足電力を補うように、平均出力実績の小さいものから順に発電出力を最大出力まで増加させるように個別制御スケジュール（第４の個別制御スケジュール）を作成する。図５の例では、燃料電池装置Ｄ、燃料電池装置Ａ、燃料電池装置Ｃ、燃料電池装置Ｂ、燃料電池装置Ｆ、燃料電池装置Ｅの順で不足電力が補われるまでの範囲で、発電出力を最大出力（７００Ｗ）まで増加させるスケジュールを作成する。なお、図５の例において、燃料電池装置Ｇは、すでに最大出力になっているので、それ以上増加させることはできない点は同様である。個別制御スケジュール作成工程（Ｓ１６０）の段階では、複数の新設燃料電池装置２０ａ，２０ｂ，２０ｃは故障やメンテナンス中のものを除く残りのすべてが収束下限の出力（４００Ｗ）以上に発電出力がなるように予定されている。よって、ここでは、それでも不足電力を補えない場合に、さらに最大出力まで順に発電出力を増加させる。作成された個別制御スケジュール（第４の個別制御スケジュール）は、記憶装置３４に格納される。
【００４８】
判定工程（Ｓ１６２）として、判定部４８は、最大発電出力まで複数の新設燃料電池装置２０ａ，２０ｂ，２０ｃの発電出力を順に増加させることで不足電力が補われるかどうかを判定する。具体的には、判定部４８は、記憶装置３４から作成された各個別制御スケジュール（第４の個別制御スケジュール）を読み出し、新設燃料電池装置２０ａ，２０ｂ，２０ｃの発電出力を順に増加させることで不足電力が補われるかどうかを判定する。不足電力が補われる場合にはコマンド作成工程（Ｓ１７０）に進む。不足電力を補うにはまだ不足する場合には系統電源６００からの電力で賄う。
【００４９】
コマンド作成工程（Ｓ１７０）として、コマンド作成部５８は、最終的に作成された燃料電池装置１０ａ，１０ｂ，１０ｃ，・・・、及び燃料電池装置２０ａ，２０ｂ，２０ｃの各個別制御スケジュールを記憶装置３４から読み出し、それぞれ設定された発電出力になるようにコマンド（制御信号）を作成する。作成された各コマンドは、各個別制御スケジュールに沿って、対応する時間帯になったら通信制御部６０を介して出力され、インターネットを介して対応する燃料電池装置１０ａ，１０ｂ，１０ｃ，・・・、及び燃料電池装置２０ａ，２０ｂ，２０ｃに送信される。燃料電池装置１０ａ，１０ｂ，１０ｃ，・・・、及び燃料電池装置２０ａ，２０ｂ，２０ｃは対応するコマンドを受信し、受信されたコマンドに沿って発電を実行する。言い換えれば、コマンド作成部５８（出力制御部）は、最大出力未満であって使用燃料に対する発電出力の効率が収束範囲内の発電出力まで、前記不足電力を補うように、既設燃料電池装置１０ａ，１０ｂ，１０ｃ，・・・の少なくとも１つの発電出力を増加させる。具体的には、コマンド作成部５８（出力制御部）は、既設燃料電池装置１０ａ，１０ｂ，１０ｃ，・・・のうち選択された燃料電池装置群に対して、不足電力を補うように、発電出力が小さいものから順に発電出力を収束範囲内まで増加させる。かかる制御では補えない場合に、コマンド作成部５８（出力制御部）は、既設燃料電池装置１０ａ，１０ｂ，１０ｃ，・・・に対して、不足電力を補うように、平均出力実績の小さいものから順に発電出力を最大出力まで増加させる。
【００５０】
以上のように、実施の形態１における電力供給管理装置１００は、不足電力が生じた場合に、既設燃料電池装置１０ａ，１０ｂ，１０ｃ，・・・を優先して不足電力を補うように制御する。
【００５１】
以上のように、実施の形態１によれば、燃料電池装置を効率良く活用できる。特に、既設された燃料電池装置を効率良く活用できる。例えば、燃料電池装置の出力対象が所有者一戸から需要家群になり、既設の燃料電池装置について需要増が見込まれる。また、需要家が増えれば、消費電力のピーク時間がずれ、全体として平準化されることが期待できる。
【００５２】
また、燃料電池装置に使用する燃料電池として、固体酸化物燃料電池（ＳＯＦＣ：Ｓｏｌｉｄ  Ｏｘｉｄｅ  Ｆｕｅｌ  Ｃｅｌｌ）が用いられると好適である。ＳＯＦＣを使用することで燃料から電力への変換効率を高めることができる。但し、これに限るものではない。その他の燃料電池を用いても構わない。例えば、固体高分子形燃料電池（ＰＥＦＣ）、りん酸形燃料電池（ＰＡＦＣ）、溶融炭酸塩形燃料電池（ＭＣＦＣ）、アルカリ電解質形燃料電池（ＡＦＣ）、直接形燃料電池（ＤＦＣ）、或いはバイオ燃料電池、等を用いてもよい。
【００５３】
また、上述した不足電力は、例えば、各（全体・個別問わず）スケジュール作成時に、需要予測工程で予測された需要値（記憶装置３０に蓄積）と、直近の既設および新設を含む複数燃料電池の発電実績データ（記憶装置３７に蓄積）に、その時点で計算が完了している個別スケジュールによる出力増加分を加算した供給値と、の差分として求めることができる。例えば、１１：１５分にスケジュールを作成する場合、次回の３０分間（１１：３０〜１２：００）、次々回の３０分間（１２：００〜１２：３０）を順に計算すればよい。但し、３０分間というのはあくまで目安であり、これに限るものではない。
【００５４】
また、上述した収束下限の出力（例えば４００Ｗ）未満の燃料電池の出力を収束下限の出力（例えば４００Ｗ）まで順に増加させる点について、上述したように直近の発電実績データが示す発電量が４００Ｗ未満であるかどうかで判断すればよい。但し、その後のフローで不足電力有無を判断する度毎に「その時点で計算が完了している個別スケジュールによる出力増加分を加算」すると好適である。
【００５５】
以上、具体例を参照しつつ実施の形態について説明した。しかし、本発明は、これらの具体例に限定されるものではない。
【００５６】
また、装置構成や制御手法等、本発明の説明に直接必要しない部分等については記載を省略したが、必要とされる装置構成や制御手法を適宜選択して用いることができる。
【００５７】
その他、本発明の要素を具備し、当業者が適宜設計変更しうる全ての電力供給システム及び電力供給方法は、本発明の範囲に包含される。
【符号の説明】
【００５８】
１０，２０  燃料電池装置
１１，２１  給湯装置
１２，１３  電力計
３０，３２，３４，３７  記憶装置
３６  メモリ
４０，４１  判定部
４２，４４  抽出部
４６，４８  判定部
５０  需要予測部
５２  全体制御スケジュール作成部
５４  選択部
５６  個別制御スケジュール作成部
５８  コマンド作成部
６０  通信制御部
１００  電力供給管理装置
１１０  需要監視装置
２００，２０２  ユーザ
５００  電力供給システム
【図１】
2015191695.tif 000003
【図２】
2015191695.tif 000004
【図３】
2015191695.tif 000005
【図４】
2015191695.tif 000006
【図５】
2015191695.tif 000007
【図６】
2015191695.tif 000008